(57)【要約】【課題】            開閉体が撓んだりばたついたりするのを阻むことができ、ひいては、開閉体の撓みやばたつきに起因する騒音の発生や各構成部材の損傷を、効果的に低減することができる開閉装置を提供する。【解決手段】        開閉体１０をスライドさせて開閉動作するようにした開閉装置において、撓んだ際の前記開閉体１０により当接される撓み抑制部材４０を備え、この撓み抑制部材４０は、閉鎖状態の前記開閉体１０の表部または裏部に沿うように延出された延出位置と、その延出方向と逆の方向へ後退した収納位置との間で進退するように支持されている。【選択図】          図１
2006299521.tif 000002
【特許請求の範囲】
【請求項１】
開閉体をスライドさせて開閉動作するようにした開閉装置において、
撓んだ際の前記開閉体により当接される撓み抑制部材を備え、
この撓み抑制部材は、閉鎖状態の前記開閉体の表部または裏部に沿うように延出された延出位置と、その延出方向と逆の方向へ後退した収納位置との間で進退するように支持されていることを特徴とする開閉装置。
【請求項２】
上記撓み抑制部材は、可撓性材料から構成するとともに、その後退方向の端部側が不動部位に係止されるとともに、その延出方向の端部側が不動部位または上記開閉体に係止されていることを特徴とする請求項１記載の開閉装置。
【請求項３】
上記撓み抑制部材の後退方向の端部側を、巻取体の外周面に止着し、該巻取体を巻取り回転方向へ付勢するようにして不動部位に支持したことを特徴とする請求項２記載の開閉装置。
【請求項４】
上記撓み抑制部材が延出された際に、該撓み抑制部材の延出方向の端部側を、不動部位に対し着脱可能に係止するようにしたことを特徴とする請求項２又は３記載の開閉装置。
【請求項５】
上記撓み抑制部材の延出方向側の上記不動部位は、閉鎖された際の開閉体により当接される枠部材であり、
上記撓み抑制部材は、開閉体閉鎖方向へ延出されるとともに、上記開閉体によって開閉される開口部と開閉体厚さ方向に交差して、前記枠部材に対し着脱可能に係止されることを特徴とする請求項４記載の開閉装置。
【請求項６】
上記撓み抑制部材は、複数のスライド部材を、隣り合うスライド部材間のスライドにより、その全長が伸縮するように接続してなることを特徴とする請求項１記載の開閉装置。
【請求項７】
上記撓み抑制部材は、進退方向へ配設された複数のリンク片を、進退方向に隣り合うリンク片間で枢支してなり、各リンク片の回動により、その全長が伸縮するように構成されていることを特徴とする請求項１記載の開閉装置。
【請求項８】
上記撓み抑制部材の延出方向の端部側を、上記開閉体の閉鎖方向端部側に止着し、上記開閉体の閉鎖動作に伴って上記撓み抑制部材が延出されるようにしたことを特徴とする請求項１、２、３、６、７の内の何れか１項記載の開閉装置。
【発明の詳細な説明】
【技術分野】
【０００１】
本発明は、オーバーヘッドドアを含むシャッター装置、ロールスクリーン、ブラインド、オーニング装置、門扉、ゲート、スライディングウォール装置等、開閉体の閉鎖方向端部をスライドさせて構造物の空間部分を仕切るようにした開閉装置に関し、特にシャッター装置として好適な開閉装置に関するものである。
【背景技術】
【０００２】
従来、この種の発明には、特許文献１に記載されているように、構造物の窓サッシの屋外側に開閉体（シャッターカーテン３）を配置するようにした開閉装置であって、窓サッシ側の網戸障子（４）や、戸尻側縦框（１ｂ）、開閉体（シャッターカーテン３）の裏面等に緩衝材（９，９’，又は９０）を止着したものがある。
この従来技術によれば、屋外側から強風により開閉体（シャッターカーテン３）が室内側へ撓んだとしても、その撓んだ際の開閉体（シャッターカーテン３）が網戸障子（４）やサッシ障子（１）に直接的に当接するのを、これらの間に介在する前記緩衝材（９，９’，９０）によって緩和することができる。
【０００３】
しかしながら、上記従来技術では、開閉体（シャッターカーテン３）と網戸障子（４）やサッシ障子（１）との直接接触を緩衝材（９，９’，９０）により阻むようにしているとはいえ、開閉体（シャッターカーテン３）が撓み緩衝材（９，９’，９０）に衝突すれば、その衝撃が網戸障子（４）やサッシ障子（１）等へ伝達することになる。
その上、開閉体（シャッターカーテン３）が撓んだりばたついたりすれば、該開閉体（シャッターカーテン３）の幅方向の端部側が、ガイドレール（７）の内面に強く当接する場合もある。
したがって、上記従来技術においても、開閉体（シャッターカーテン３）の撓みやばたつきに起因して、騒音の発生や各構成部材の損傷を生じるおそれがある。
【特許文献１】特開平１１−２２３４２号公報
【発明の開示】
【発明が解決しようとする課題】
【０００４】
本発明は上記従来事情に鑑みてなされたものであり、その課題とする処は、開閉体が撓んだりばたついたりするのを阻むことができ、ひいては、開閉体の撓みやばたつきに起因する騒音の発生や各構成部材の損傷を、効果的に低減することができる開閉装置を提供することにある。
【課題を解決するための手段】
【０００５】
上記課題を解決するために第一の発明は、開閉体をスライドさせて開閉動作するようにした開閉装置において、撓んだ際の前記開閉体により当接される撓み抑制部材を備え、この撓み抑制部材は、閉鎖状態の前記開閉体の表部または裏部に沿うように延出された延出位置と、その延出方向と逆の方向へ後退した収納位置との間で進退するように支持されていることを特徴とする。
【０００６】
ここで、本発明に係わる開閉装置は、少なくとも閉鎖方向へ動作可能な開閉体を備え、該開閉体のスライド動作により空間を仕切るように構成された装置であればよく、この開閉装置には、開閉体が閉鎖動作のみを行うように用いられる態様（例えば防火シャッター装置等）、開閉体が開放動作と閉鎖動作との双方を行うように用いられる態様等を含む。
また、この開閉装置には、開閉体をその開放方向側の巻取軸によって巻取り、該巻取軸から繰り出すようにした態様や、開閉体をその開放方向側の収納部位へ巻き取ることなく収納し、該収納部位から繰り出すようにした態様等を含む。
【０００７】
また、上記開閉体には、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等を含む。
【０００８】
また、上記撓み抑制部材は、閉鎖状態の開閉体の表部または裏部に沿うようにして進退する部材であればよく、その形状等は限定されない。
また、この撓み抑制部材は、剛性材料からなる態様であってもよいし、可撓性材料からなる態様であってもよい。
また、この撓み抑制部材には、上記開閉体の幅方向へ進退する態様や、上記開閉体の幅方向に傾斜する方向へ進退する態様等を含むが、より好ましくは、上記開閉体の開閉方向へ進退する態様とする。
上記撓み抑制部材を上記開閉体の開閉方向へ進退する態様とした場合、該撓み抑制部材は、開閉体幅方向におけるどの位置に設けられていてもよいが、特に効果的に上記開閉体の撓みを抑制するためには、開閉体幅方向における中央近傍に配置されるようにする。
【０００９】
また、この撓み抑制部材は、上記開閉体の表部または裏部に対し部分的に沿うように設けられていてもよいが、より好ましくは、上記開閉体の表部または裏部に対し、その略全長にわたって設けるようにする。
また、この撓み抑制部材は、上記開閉体の厚さ方向の一方側に設けられていてもよいし、上記開閉体の厚さ方向の両側に設けられていてもよい。
また、この撓み抑制部材は、上記開閉体の厚さ方向の一方側に、単数設けられていてもよいし複数設けられていてもよい。
なお、特に、簡素な構成によって効果的な撓み抑制作用を得るためには、上記撓み抑制部材は、少なくとも開閉体厚さ方向における窓サッシ側に設けられるのが好ましい。
また、この撓み抑制部材には、その全長が伸縮することで、その先端側が進退する態様や、全長が伸縮することなく全体的に進退する態様、リール装置等に巻き取られており該リール装置から巻き戻されることで延出され、該リール装置に巻き取られることで後退する態様等を含む。
更に、この撓み抑制部材には、上記開閉体と共に巻取装置等によって巻き取られており、該巻取装置等から上記開閉体と共に巻き戻されることで延出され、該巻取装置等によって上記開閉体と共に巻き取られることで後退する態様も含む。
【００１０】
また、上記延出位置とは、上記撓み抑制部材の延出方向の先端側が閉鎖状態の上記開閉体の表部または裏部に沿って延出された位置にあることを意味し、この状態では、上記撓み抑制部材が、その延出方向へわたって、閉鎖状態の開閉体に対し、その厚さ方向側から近接した状態となる。
また、上記収納位置とは、上記撓み抑制部材の延出方向の先端側が後退した状態を意味する。
【００１１】
また、第二の発明では、上記撓み抑制部材は、可撓性材料から構成するとともに、その後退方向の端部側が不動部位に係止されるとともに、その延出方向の端部側が不動部位または上記開閉体に係止されていることを特徴とする。
【００１２】
ここで、上記可撓性材料には、ゴムや弾性合成樹脂、スプリング等の弾性体や、可撓性合成樹脂シート、布、繊維等を含む。
また、可撓性材料からなる上記撓み抑制部材は、リール装置等によって巻き取られることで上記収納位置に収納される態様としてもよいし、折り畳まれることで上記収納位置に収納される態様としてもよい。
また、上記撓み抑制部材を例えばゴムやスプリング等の弾性材料から形成した場合には、弾性的に延出されることで上記延出位置となり、その延出位置からの復元作用により収縮することで上記収納位置となるように構成することも可能である。
【００１３】
また、上記不動部位とは、開閉動作する上記開閉体や、上記撓み抑制部材に対して不動な部材であればよく、この不動部位の具体例としては、当該開閉装置の設置対象である構造物側の窓サッシ等の枠部材や、上記開閉体を収納するための収納ケース、当該開閉装置の設置対象である構造物の壁部、上記開閉体を開閉方向へ案内するガイドレール等が挙げられる。
【００１４】
また、第三の発明では、上記撓み抑制部材の後退方向の端部側を、巻取体の外周面に止着し、該巻取体を巻取り回転方向へ付勢するようにして不動部位に支持したことを特徴とする。
なお、「該巻取体を巻取り回転方向へ付勢する」という構成は、開閉体から受ける衝撃を効果的に吸収するためには、上記巻取体を常時巻取り回転方向へ付勢するようにした態様とするのが好ましいが、上記巻取体を（例えば延出時や、後退時のみ巻取体のロックを解除する等して）一時的に付勢する態様としてもよい。
【００１５】
また、第四の発明では、上記撓み抑制部材が延出された際に、該撓み抑制部材の延出方向の端部側を、不動部位に対し着脱可能に係止するようにしたことを特徴とする。
【００１６】
また、第五の発明では、上記撓み抑制部材の延出方向側の上記不動部位は、閉鎖された際の開閉体により当接される枠部材であり、上記撓み抑制部材は、開閉体閉鎖方向へ延出されるとともに、上記開閉体によって開閉される開口部と開閉体厚さ方向に交差して、前記枠部材に対し着脱可能に係止されることを特徴とする。
【００１７】
また、第六の発明では、上記撓み抑制部材は、複数のスライド部材を、隣り合うスライド部材間のスライドにより、その全長が伸縮するように接続してなることを特徴とする。
【００１８】
また、第七の発明では、上記撓み抑制部材は、進退方向へ配設された複数のリンク片を、進退方向に隣り合うリンク片間で枢支してなり、各リンク片の回動により、その全長が伸縮するように構成されていることを特徴とする。
【００１９】
また、第八の発明では、上記撓み抑制部材の延出方向の端部側を、上記開閉体の閉鎖方向端部側に止着し、上記開閉体の閉鎖動作に伴って上記撓み抑制部材が延出されるようにしたことを特徴とする。
【００２０】
なお、本明細書中において「開閉体厚さ方向」とは、閉鎖状態の上記開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
【発明の効果】
【００２１】
本発明は、以上説明したように構成されているので、以下に記載されるような作用効果を奏する。
第一の発明によれば、撓み抑制部材が延出位置にある際には、強風等に起因して撓んだりばたついたりした場合の開閉体が、撓み抑制部材に当接する。そのため、開閉体の撓みやばたつきを、撓み抑制部材によって抑制することができる。
よって、開閉体が撓んだりばたついたりして該開閉体以外の部材（例えば、網戸障子やサッシ障子等の窓サッシ側の部材、あるいはガイドレール等）に当接するのを阻むことができ、ひいては、開閉体の撓みやばたつきに起因する騒音の発生や各構成部材の損傷を、効果的に低減することができる。
【００２２】
更に、第二の発明によれば、可撓性材料からなる撓み抑制部材に対し、撓んだ際の開閉体が当接すると、該撓み抑制部材は、その両端側が係止されているため、引き張られて、開閉体による衝撃を効果的に緩和することになる。しかも、撓み抑制部材は、可撓性であるため、収納性が良好である。
【００２３】
更に、第三の発明によれば、収納位置にある撓み抑制部材は、巻取体に巻取られるため、邪魔になることなく、体裁よく収納される。
また、延出位置にある撓み抑制部材は、巻取方向へ付勢された巻取体によって引き張られるため、撓んだ際の開閉体から受ける衝撃を効果的に吸収する。
【００２４】
更に、第四の発明によれば、撓み抑制部材の延出方向の端部側が不動部位に係止された状態では、撓んだ際の開閉体の衝撃を効果的に吸収することができる。また、その係止を外せば、撓み抑制部材を容易に収納可能な状態とすることができる。
【００２５】
更に、第五の発明によれば、撓み抑制部材の延出方向側の部分を不動部位に係止した状態で開閉体を閉鎖動作すれば、開口部を交差している撓み抑制部材に、閉鎖動作中の開閉体が当接し、撓み抑制部材が開閉体と枠部材との間に挟まれて引き張られる。
したがって、開閉体の撓みやばたつきを、引き張られた撓み抑制部材によって効果的に抑制することができる。
【００２６】
更に、第六及び七の発明によれば、撓み抑制効果および収納性が良好な撓み抑制部材を、生産性のよい簡素な構造とすることができる。
【００２７】
更に、第八の発明によれば、開閉体を閉鎖動作させると、撓み抑制部材が開閉体の閉鎖方向端部側に牽引されて延出されることになる。すなわち、撓み抑制部材を、開閉体の閉鎖動作に伴って自動的に延出させることができる。
【発明を実施するための最良の形態】
【００２８】
以下、本発明の実施の形態を図面に基づいて説明する。
本実施の形態の開閉装置は、住宅やビル、倉庫、工場、地下街、トンネル、車両の荷台等の構築・構造物における開口部分や内部に配設され、前記開口部分を開閉したり、躯体内部の空間を仕切ったり開放したりする開閉装置として適用可能であるが、特に好ましい態様として、構造物における窓サッシの屋外側に装着される窓用シャッター装置の一例について説明する。
【００２９】
この開閉装置１は、閉鎖方向端部を上下方向へスライド動作させる開閉体１０と、該開閉体１０の幅方向の両端部を開閉方向へ案内する左右のガイドレール２０，２０と、開閉体１０の開放方向側で開閉体１０を巻き取ったり繰り出したりする巻取装置３０と、閉鎖状態の開閉体１０の表部または裏部に沿って略直線状に延出した延出位置と、その延出方向と逆の方向へ後退した収納位置との間で進退するように支持された撓み抑制部材４０とを備え、構造物開口部に設置された窓サッシＡの屋外側に固定されている（図１参照）。
【００３０】
開閉体１０は、横長略矩形状の金属板を曲げ加工してなる所謂スラットを、上下に隣接するスラット間で回動するように複数連接することで、開閉体本体１１を構成し、この開閉体本体１１の下側の端部に、下枠部材５０に当接させるための座板部材１２を、開閉体幅方向にわたって接続してなる。
前記下枠部材５０は、左右のガイドレール２０，２０間にわたって当該開閉装置１の底面部を構成する部材であり、その屋外側の部位に、開閉体開放方向へ突出する突出片部５１を備え、該突出片部５１における開閉体幅方向の略中央側には、後述する撓み抑制部材４０のフック部４２を係止するための係止孔５１ａが貫通形成されている。そして、この下枠部材５０は、構造物の外壁面ｂに止着される。
【００３１】
また、ガイドレール２０は、開閉体１０の幅方向端部を断面略コ字状に囲んで開閉方向へ案内する部材であり、前記下枠部材５０と後述する巻取装置３０との間にわたって配設されている。
【００３２】
また、巻取装置３０は、開閉体１０を巻き取ったり巻き戻したりする巻取り軸３１や、該巻取り軸３１および該巻取り軸３１に巻き取られた開閉体１０を収納する収納ケース３２等を備え、収納ケース３２内に左右のガイドレール２０，２０の上端部を挿入させるようにして、開閉体幅方向へわたって配設されている。
この巻取装置３０は、開閉体１０を手動で開閉するようにした態様や、開閉体１０を電動で開閉するようにした態様、開閉体１０の開閉動作の内の一方を手動とし他方を電動とした態様等の内、何れの態様であっても構わない。
【００３３】
収納ケース３２は、その開閉体閉鎖方向側の壁面に、開閉体１０を繰り出したり収納したりするための開口部３２ａを形成し、更に、開閉体厚さ方向における該開口部３２ａよりも屋内側（図１における右側）の部分に、撓み抑制部材４０を部分的に受けるようにして開閉体開閉方向へわたる受部３２ｂを有する。
この受部３２ｂは、撓み抑制部材４０を受けて、該撓み抑制部材４０の進退方向へスムーズに導くとともに、引き張られた際の撓み抑制部材４０に当接して該撓み抑制部材４０の張力を維持する。
【００３４】
また、撓み抑制部材４０は、開閉体１０の開閉体開閉方向の略全長にわたる本体部４１と、該本体部４１の延出方向側の端部に一体的に具備されたフック部４２とからなる。
本体部４１は、例えば、ゴムや、可撓性合成樹脂フィルム、繊維等の可撓性材料から略帯状に形成され、その後退方向側の端部を、後述するリール装置６０の巻取体６１に止着するとともに、その延出方向側の端部に、フック部４２を止着している。
フック部４２は、下枠部材５０の係止孔５１ａに対し着脱されるように、先端側を縦断面略フック状に曲げ形成した金属製の部材である。
【００３５】
また、前記リール装置６０は、不動部位である収納ケース３２の内面に、軸受け部材６２等を介して、巻取体６１を回動自在に支持するとともに、該巻取体６１をスプリングやゼンマイ等の付勢部材（図示せず）によって巻取り回転方向（図１によれば時計方向）へ付勢するものである。
なお、このリール装置６０または受部３２ｂには、図示しない巻き込み防止手段が設けられており、撓み抑制部材４０が初期の収納位置よりも巻き取られないようになっている。前記巻き込み防止手段は、例えば、巻取体６１内に該巻取体６１の巻取り方向の回転量を規制する手段を設けた態様や、受部３２ｂに、撓み抑制部材４０の本体部４１を貫挿するリング状部材（図示せず）であって且フック部４２を貫挿不能なリング状部材を固定するようにした態様等とすればよい。
この巻き込み防止手段によれば、リール装置６０によって撓み抑制部材４０を巻き取った際、撓み抑制部材４０のフック部４２を受部３２ｂに掛止し損ねた場合であっても、フック部４２が収納ケース３２内に巻き込まれて引き出せなくなってしまうのを防ぐことができる。
【００３６】
次に、上記構成の開閉装置１について、その作用効果を詳細に述べる。
開閉体１０が全開されている状態において、撓み抑制部材４０は、巻取体６１に巻き取られた収納位置になっている（図３（ａ）参照）。
強風等に起因する開閉体１０の撓みやばたつきを抑制したい場合には、先ず、撓み抑制部材４０が、延出方向（図示例によれば略下方）へ引き出され、その先端側のフック部４２が下枠部材５０の係止孔５１ａに通されて引っ掛けられ延出位置とされる。
そして、開閉体１０が全閉状態となるまで閉鎖動作される。すると、撓み抑制部材４０の延出方向側の部分に、開閉体１０の座板部材１２が当接し、該部分が開閉体１０と下枠部材５０との間に挟まれる。そのため、撓み抑制部材４０は、その進退方向へ引き張られることになる（図３参照）。
【００３７】
この状態で、屋外側から受ける強風や、吹き付ける風圧の変動、屋内外の気圧差の変動等により、開閉体１０が屋内側へ撓んだりばたついたりした場合には、その撓んだ開閉体１０が撓み抑制部材４０に当接するため、開閉体１０の撓みやばたつきが抑制される。
万が一、開閉体１０の撓み量が大きく、その開閉体１０に押されて撓み抑制部材４０も撓んでしまったとしても、撓んだ開閉体１０と窓サッシＡ側の部材（例えば、網戸障子やサッシ障子等）との間に撓み抑制部材４０が介在することになるため、窓サッシＡ側の部材が損傷するのを防ぐことができる。
【００３８】
また、撓み抑制部材４０を収納位置へ収納する際には、上記と逆の操作により、開閉体１０が開放され、撓み抑制部材４０が下枠部材５０の係止孔５１ａから外される。すると、撓み抑制部材４０は、巻取り方向へ付勢されている巻取体６１に巻き取られて、初期の収納位置となる。
【００３９】
次に、本発明に係わる開閉装置の他例について詳細に説明する。なお、以下に示す開閉装置において、上記開閉装置１と略同様の構成箇所については、上記開閉装置１における符号を用いることで、重複する詳細説明を省略する。
【００４０】
図４に示す開閉装置２は、上記開閉装置１における下枠部材５０を下枠部材５０’に置換した構成とされる。
下枠部材５０’は、上記下枠部材５０から係止孔５１ａを省くとともに、該下枠部材５０’の底面上における開閉体１０よりも室内側となる部位に、係止孔５２ａを有する立上り片５２を形成したものである。前記立上り片５２及び係止孔５２ａは、その開閉体幅方向の位置が、撓み抑制部材４０に対応するように設定されている。
この開閉装置２によれば、開閉体１０の開閉状態に拘わらずに、撓み抑制部材４０を延出位置で立上り片５２に係止することができ、例えば、図４（ａ）〜（ｃ）に示すように、開閉体１０を略全閉した後に、撓み抑制部材４０を延出させその先端部を係止することができる。
そして、延出位置に係止された撓み抑制部材４０は、その後退方向側から、巻取り回転方向へ付勢された撓み抑制部材４０によって引き張られるため、上記開閉装置１と略同様に、開閉体１０の撓み及びばたつきを抑制することになる。
なお、この開閉装置２では、撓み抑制部材４０が開閉体１０に押されて引き張られるようにした上記開閉装置１と比較し、撓み抑制部材４０の張力が小さくなる可能性があるため、必要に応じて、巻取体６１を巻取り回転方向へ付勢するための付勢部材（図示せず）の付勢力が増強される。
【００４１】
また、図５に示す開閉装置３は、上述した開閉装置１における撓み抑制部材４０からフック部４２を省き、撓み抑制部材４０の本体部４１の延出方向側の端部を開閉体１０の座板部材１２に止着したものである。
【００４２】
この開閉装置３によれば、図５（ａ）〜（ｃ）に示すように、開閉体１０を閉鎖動作させると、座板部材１２が閉鎖方向へスライドするのに伴って、撓み抑制部材４０の本体部４１が延出されてゆくことになる。
そして、開閉体１０が略全閉されると、撓み抑制部材４０が引き張られて、上記開閉装置１や開閉装置２と略同様に、開閉体１０の撓み及びばたつきが抑制される。
また、開閉体１０を開放した際には、座板部材１２の開放方向へのスライドに伴って、撓み抑制部材４０が、リール装置６０の巻取体６１に巻き取られてゆき、元の収納位置となる。
【００４３】
また、図６に示す開閉装置４は、上記開閉装置３における撓み抑制部材４０を、撓み抑制部材７０に置換した構成とされる。
撓み抑制部材７０は、複数の中空筒状のスライド部材７１，７１’，７１”を内外に重ね合わせてなり、隣り合うスライド部材７１，７１間のスライドにより、その全長が伸縮するように構成されている。
より詳細に説明すれば、この撓み抑制部材７０は、内外に重ね合わせられた複数のスライド部材７１，７１’，７１”の内の基端側のスライド部材７１’が、収納ケース３２等の不動部位に固定され、その最先端側のスライド部材７１”が開閉体１０の座板部材１２に止着されている。
なお、スライド部材７１，７１’，７１”は、例えば開閉体１０から受ける衝撃によって撓まないようにする観点から、例えば円筒状等の撓み難い形状とするのが好ましいが、角筒状やその他の筒形状（例えば断面円弧状など）とすることも可能である。
【００４４】
この開閉装置４によれば、図６（ａ）〜（ｂ）に示すように、開閉体１０を閉鎖動作させると、座板部材１２が閉鎖方向へスライドするのに伴って、撓み抑制部材７０の複数のスライド部材７１，７１’，７１”が、下枠部材５０へ向かって延出されてゆく。
そして、開閉体１０が略全閉されると、撓み抑制部材７０が、開閉体１０の裏部に対し、開閉体開閉方向へわたって近接した状態になる。
したがって、撓み抑制部材７０により、開閉体１０の撓み及びばたつきが抑制される。
また、開閉体１０を開放した際には、座板部材１２の開放方向へのスライドに伴って、撓み抑制部材７０が最後端側のスライド部材７１”内へ収納されてゆき、元の収納位置となる。
【００４５】
また、図７に示す開閉装置５は、上記開閉装置３における撓み抑制部材４０、あるいは上記開閉装置４における撓み抑制部材７０を、撓み抑制部材８０に置換した構成とされる。
上記撓み抑制部材８０は、進退方向へ配設された複数のリンク片８１，８２を、進退方向に隣り合うリンク片８１，８１（又は、８２，８２）片間で枢支してなり、各リンク片８１，８２の回動により、その全長が伸縮するように構成されている。
より詳細に説明すれば、図示例の好ましい態様である撓み抑制部材８０では、右側の複数のリンク片８１と、左側の複数のリンク片８２とをパンタグラフ状にリンク接続することで構成され、その後退方向の端部側を収納ケース３２等の不動部位に枢着し、延出方向の端部側を開閉体１０の座板部材１２に枢着している。
【００４６】
この開閉装置５によれば、図７（ａ）〜（ｂ）に示すように、開閉体１０を閉鎖動作させると、座板部材１２が閉鎖方向へスライドするのに伴って、撓み抑制部材８０の複数のリンク片８１，８２が、下枠部材５０へ向かって延出されてゆく。
そして、開閉体１０が略全閉されると、撓み抑制部材８０が、開閉体１０の裏部に対し、開閉体開閉方向へわたって近接した状態になる。
したがって、撓み抑制部材８０により、開閉体１０の撓み及びばたつきが抑制される。
また、開閉体１０を開放した際には、座板部材１２の開放方向へのスライドに伴って、撓み抑制部材８０がその全長を収縮させてゆき、元の収納位置となる。
【００４７】
なお、上記開閉装置５における撓み抑制部材８０は、図示例によれば、左右のリンク片８１，８２からなる構成としているが、これら左右のリンク片８１，８２の内の一方を省き、他方の複数のリンク片８１（又は８２）が、その全体を蛇腹状に伸縮させる構成とすることも可能である。
【００４８】
また、上記実施の形態によれば、撓み抑制部材４０，７０，８０を不動部位（収納ケース３２等）に対し固定するようにしたが、撓み抑制部材４０，７０，８０を不動部位（収納ケース３２等）に対し着脱可能に備えることも可能である。
【００４９】
また、上記撓み抑制部材４０は、その延出された長さに拘わらずに、軸受け部材６２の巻き取り方向の付勢力により引き張られる構造であるため、開閉体開閉方向の開口寸法が異なる他の開閉装置に対しても適用することが可能である。
すなわち、例えば、上記撓み抑制部材４０を開閉体開閉方向の開口寸法が上記開閉装置１よりも小さい開閉装置に適用した場合であっても、撓み抑制部材４０の全長を短くする必要がない。
【００５０】
また、上記撓み抑制部材７０（図６参照）と撓み抑制部材８０（図７参照）の各々は、その延出された長さに拘わらずに、撓み抑制部材７０又は撓み抑制部材８０の剛性によって開閉体１０の撓みを抑制可能なため、開閉体開閉方向の開口寸法が異なる他の開閉装置に対しても適用することが可能である。
【図面の簡単な説明】
【００５１】
【図１】本発明に係わる開閉装置の一例を示す縦断面図である。
【図２】同開閉装置の要部を示す正面図である。
【図３】同開閉装置の動作を説明する模式図であり、（ａ）は撓み抑制部材が収納された状態を示し、（ｂ）は撓み抑制部材がその延出方向側の枠部材に係止された状態を示し、（ｃ）は開閉体が閉鎖されることで撓み抑制部材が引き張られた状態を示す。
【図４】本発明に係わる開閉装置の他例の動作を示す模式図であり、（ａ）は撓み抑制部材が収納された状態を示し、（ｂ）は撓み抑制部材の延出方向へ引き出された状態を示し、（ｃ）は撓み抑制部材がその延出方向側の枠部材に係止された状態を示す。
【図５】本発明に係わる開閉装置の他例の動作を示す模式図であり、（ａ）は撓み抑制部材が収納された状態を示し、（ｂ）は開閉体の閉鎖動作に伴って撓み抑制部材の延出方向へ引き出された状態を示し、（ｃ）は開閉体が略全閉されて撓み抑制部材が引き張られた状態を示す。
【図６】本発明に係わる開閉装置の他例の動作を示す模式図であり、（ａ）は撓み抑制部材が収納された状態を示し、（ｂ）は開閉体が略全閉されることで撓み抑制部材が延出位置となった状態を示す。
【図７】本発明に係わる開閉装置の他例の動作を示す模式図であり、（ａ）は撓み抑制部材が収納された状態を示し、（ｂ）は開閉体が略全閉されることで撓み抑制部材が延出位置となった状態を示す。
【符号の説明】
【００５２】
１，２，３，４，５：開閉装置
１０：開閉体
２０：ガイドレール
４０，７０，８０：撓み抑制部材
４１：本体部
４２：フック部
５０，５０’：下枠部材（枠部材）
５１ａ，５２ａ：係止孔
６０：リール装置
６１：巻取体
Ａ：窓サッシ
【図１】
2006299521.tif 000003
【図２】
2006299521.tif 000004
【図３】
2006299521.tif 000005
【図４】
2006299521.tif 000006
【図５】
2006299521.tif 000007
【図６】
2006299521.tif 000008
【図７】
2006299521.tif 000009